【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
動力伝達系装置を潤滑する方法であって、潤滑組成物を該動力伝達系装置に供給する工程を含み、
該潤滑組成物は、潤滑粘度の油と０．０１〜５重量％の生成物とを含み、
該生成物が、
（ｉ）ヒドロキシ含有カルボン酸化合物と、（チオ）リン酸化剤、またはその反応性等価物と、場合によりアルコールとを反応させる工程、および場合により
（ｉｉ）（ｉ）の生成物をアミンまたはその混合物と反応させる工程
によって得られた／得ることが可能であり、
該動力伝達系装置が、同期システムを含有していてもよいし、していなくてもよい手動変速機；または自動変速機；または車軸を含む、
方法。
【請求項２】
前記生成物が、前記潤滑組成物の０．１重量％〜１重量％で存在する、請求項１に記載の方法。
【請求項３】
前記生成物が、前記潤滑組成物の０．２重量％〜０．５重量％で存在する、前記請求項１または２のいずれかに記載の方法。
【請求項４】
前記ヒドロキシ含有カルボン酸化合物が、式：
【化２】
2013536890.tif 000001
（これらの式中、
ｎおよびｍは、独立して、１〜５の整数であり；
Ｘは、脂肪族もしくは脂環式の基、または炭素鎖内に酸素原子を含有する脂肪族もしくは脂環式の基、または置換されている前述のタイプの基であり、前記基は、６個までの炭素原子を含有し、およびｎ＋ｍ個の利用可能な結合点を有し；
各Ｙは、独立して、−Ｏ−、＞ＮＨ、もしくは＞ＮＲ１であるか、または２つのＹが一緒に、２つのカルボニル基間で形成されるイミド構造Ｒ−Ｎ＜の窒素原子を表し；ならびに
少なくとも１つのＲまたはＲ１基がヒドロカルビル基であることを条件として、各ＲおよびＲ１は、独立して、水素またはヒドロカルビル基であり；
さらに、少なくとも１つの−ＯＲ２基が、−Ｃ（Ｏ）−Ｙ−Ｒ基の少なくとも１つに対してαまたはβであるＸ中の炭素原子上に位置することを条件として、および少なくとも１つのＲ２基が水素であるという条件付きで、各Ｒ２は、独立して、水素、ヒドロカルビル基またはアシル基である）
によって表される、前記請求項１〜３のいずれかに記載の方法。
【請求項５】
前記ヒドロキシ含有カルボン酸化合物が、グリコール酸（ｎおよびｍが両方とも１に等しい）、リンゴ酸（ｎ＝２、ｍ＝１）、酒石酸（ｎおよびｍが両方とも２に等しい）、クエン酸（ｎ＝３、ｍ＝１）、またはこれらの混合物から誘導される、前記請求項１〜４のいずれかに記載の方法。
【請求項６】
前記ヒドロキシ含有カルボン酸化合物が、酒石酸またはグリコール酸、（典型的には酒石酸）から誘導される、前記請求項１〜５のいずれかに記載の方法。
【請求項７】
前記ヒドロキシ含有カルボン酸化合物が、部分エステル化ポリオール（例えばグリセロール）、またはその混合物である、前記請求項１〜３のいずれかに記載の方法。
【請求項８】
前記ヒドロキシ含有カルボン酸化合物が、グリセロールモノオレアートまたはグリセロールジオレアートである、前記請求項１〜３のいずれかに記載の方法。
【請求項９】
前記（チオ）リン酸化剤またはその反応性等価物が、ＰＯＣｌ３、Ｐ２Ｏ５、Ｐ４Ｏ１０、ポリリン酸、Ｐ２Ｓ５、もしくはＰ４Ｓ１０、またはこれらの混合物である、前記請求項１〜８のいずれかに記載の方法。
【請求項１０】
前記（チオ）リン酸化剤またはその反応性等価物が、ＰＯＣｌ３、Ｐ２Ｏ５、Ｐ４Ｏ１０、またはポリリン酸である、前記請求項１〜９のいずれかに記載の方法。
【請求項１１】
前記生成物が、（ｉ）ヒドロキシ含有カルボン酸化合物と、硫黄不含のリン酸塩処理剤と、場合によりアルコールとを反応させる工程、および場合により（ｉｉ）（ｉ）の生成物をアミンまたはその混合物と反応させる工程によって得られた／得ることが可能である、前記請求項１〜１０のいずれかに記載の方法。
【請求項１２】
前記アミンが、分岐第二級もしくは第三級モノアミン、またはこれらの混合物である、前記請求項１〜１１のいずれかに記載の方法。
【請求項１３】
前記アルコールが、一価アルコールであり、該一価アルコールが、６〜３０個、または８〜２０個、または８〜１５個の炭素原子を含有する、前記請求項１〜１２のいずれかに記載の方法。
【請求項１４】
前記アルコールが、６〜４０個、または６〜３０個、または８〜２０個の炭素原子を含有する分岐アルコールである、前記請求項１〜１３のいずれかに記載の方法。
【請求項１５】
前記ヒドロキシ含有カルボン酸化合物の前記アルコールに対する相対量が、１：０〜０．２：０．８、または０．９：０．１〜０．４：０．６であり得る、前記請求項１〜１４のいずれかに記載の方法。
【請求項１６】
前記（チオ）リン酸化剤またはその反応性等価物をヒドロキシ含有カルボン酸化合物（および場合により前記アルコール）と、該（チオ）リン酸化剤またはその反応性等価物からのリン１モルあたり１〜２．５モル（または１．２５〜２モル）のヒドロキシル基の比で反応させる、前記請求項１〜１５のいずれかに記載の方法。
【手続補正２】
【補正対象書類名】明細書
【補正対象項目名】００３３
【補正方法】変更
【補正の内容】
【００３３】
１つの実施形態において、本発明は、潤滑粘度の油と生成物とを含む潤滑組成物の使用であって、該生成物が、（ｉ）ヒドロキシ含有カルボン酸化合物と、（チオ）リン酸化剤、またはその反応性等価物と、場合によりアルコール（典型的には一価アルコール）とを反応させる工程、および場合により（ｉｉ）（ｉ）の生成物をアミンまたはその混合物と反応させる工程によって得られた／得ることが可能であり、得られた生成物が摩耗防止剤である、潤滑組成物の使用に備えるものである。典型的に、本明細書に開示する生成物は、内燃機関または動力伝達系において使用するための潤滑組成物中の摩耗防止剤であり得る。
一実施形態において、例えば、以下の項目が提供される。
（項目１）
潤滑粘度の油と生成物とを含む潤滑組成物であって、該生成物が、
（ｉ）ヒドロキシ含有カルボン酸化合物と、（チオ）リン酸化剤、またはその反応性等価物と、場合によりアルコールとを反応させる工程、および場合により
（ｉｉ）（ｉ）の生成物をアミンまたはその混合物と反応させる工程
によって得られた／得ることが可能である、潤滑組成物。
（項目２）
前記生成物が、前記潤滑組成物の０．０１〜５重量％、または０．０５重量％〜２重量％、または０．１重量％〜１重量％、または０．２重量％〜０．５重量％で存在する、項目１に記載の潤滑組成物。
（項目３）
前記生成物が、前記潤滑組成物の０．２重量％〜０．５重量％で存在する、前記いずれかの項目に記載の潤滑組成物。
（項目４）
前記ヒドロキシ含有カルボン酸化合物が、式：
【化２】
2013536890.tif 000002
（これらの式中、
ｎおよびｍは、独立して、１〜５の整数であり；
Ｘは、脂肪族もしくは脂環式の基、または炭素鎖内に酸素原子を含有する脂肪族もしくは脂環式の基、または置換されている前述のタイプの基であり、前記基は、６個までの炭素原子を含有し、およびｎ＋ｍ個の利用可能な結合点を有し；
各Ｙは、独立して、−Ｏ−、＞ＮＨ、もしくは＞ＮＲ１であるか、または２つのＹが一緒に、２つのカルボニル基間で形成されるイミド構造Ｒ−Ｎ＜の窒素原子を表し；ならびに
少なくとも１つのＲまたはＲ１基がヒドロカルビル基であることを条件として、各ＲおよびＲ１は、独立して、水素またはヒドロカルビル基であり；
さらに、少なくとも１つの−ＯＲ２基が、−Ｃ（Ｏ）−Ｙ−Ｒ基の少なくとも１つに対してαまたはβであるＸ中の炭素原子上に位置することを条件として、および少なくとも１つのＲ２基が水素であるという条件付きで、各Ｒ２は、独立して、水素、ヒドロカルビル基またはアシル基である）
によって表される、前記いずれかの項目に記載の潤滑組成物。
（項目５）
前記ヒドロキシ含有カルボン酸化合物が、グリコール酸（ｎおよびｍが両方とも１に等しい）、リンゴ酸（ｎ＝２、ｍ＝１）、酒石酸（ｎおよびｍが両方とも２に等しい）、クエン酸（ｎ＝３、ｍ＝１）、またはこれらの混合物から誘導される、前記いずれかの項目に記載の潤滑組成物。
（項目６）
前記ヒドロキシ含有カルボン酸化合物が、酒石酸またはグリコール酸、（典型的には酒石酸）から誘導される、前記いずれかの項目に記載の潤滑組成物。
（項目７）
前記ヒドロキシ含有カルボン酸化合物が、部分エステル化ポリオール（例えばグリセロール）、またはその混合物である、前記項目１〜３のいずれかに記載の潤滑組成物。
（項目８）
前記ヒドロキシ含有カルボン酸化合物が、グリセロールモノオレアートまたはグリセロールジオレアートである、前記項目１〜３のいずれかに記載の潤滑組成物。
（項目９）
前記（チオ）リン酸化剤またはその反応性等価物が、ＰＯＣｌ３、Ｐ２Ｏ５、Ｐ４Ｏ１０、ポリリン酸、Ｐ２Ｓ５、もしくはＰ４Ｓ１０、またはこれらの混合物である、前記いずれかの項目に記載の潤滑組成物。
（項目１０）
前記（チオ）リン酸化剤またはその反応性等価物が、ＰＯＣｌ３、Ｐ２Ｏ５、Ｐ４Ｏ１０、またはポリリン酸である、前記いずれかの項目に記載の潤滑組成物。
（項目１１）
前記生成物が、（ｉ）ヒドロキシ含有カルボン酸化合物と、硫黄不含のリン酸塩処理剤と、場合によりアルコールとを反応させる工程、および場合により（ｉｉ）（ｉ）の生成物をアミンまたはその混合物と反応させる工程によって得られた／得ることが可能である、前記いずれかの項目に記載の潤滑組成物。
（項目１２）
前記アミンが、分岐第二級もしくは第三級モノアミン、またはこれらの混合物である、前記いずれかの項目に記載の潤滑組成物。
（項目１３）
前記アルコールが、一価アルコールまたは多価アルコール、典型的には一価アルコールである、前記いずれかの項目に記載の潤滑組成物。
（項目１４）
前記アルコールが、直鎖状である、分岐している、またはこれらの混合物である、前記いずれかの項目に記載の潤滑組成物。
（項目１５）
前記一価アルコールが、６〜３０個、または８〜２０個、または８〜１５個の炭素原子（典型的には８〜１５個の炭素原子）を含有する、項目１３に記載の潤滑組成物。
（項目１６）
前記アルコールが、６〜４０個、または６〜３０個、または８〜２０個の炭素原子（典型的には８〜２０個の炭素原子）を含有する分岐アルコールである、前記いずれかの項目に記載の潤滑組成物。
（項目１７）
前記ヒドロキシ含有カルボン酸化合物の前記アルコールに対する相対量が、１：０〜０．２：０．８、または０．９：０．１〜０．４：０．６であり得る、前記いずれかの項目に記載の潤滑組成物。
（項目１８）
前記（チオ）リン酸化剤またはその反応性等価物をヒドロキシ含有カルボン酸化合物（および場合により前記アルコール）と、該（チオ）リン酸化剤またはその反応性等価物からのリン１モルあたり１〜２．５モル（または１．２５〜２モル）のヒドロキシル基の比で反応させる、前記いずれかの項目に記載の潤滑組成物。
（項目１９）
内燃機関を潤滑する方法であって、前記項目１〜１８のいずれかに記載の潤滑組成物を該内燃機関に供給する工程を含む方法。
（項目２０）
前記内燃機関が、鋼、またはアルミニウム合金、またはアルミニウム複合材の表面を有する、項目１９に記載の方法。
（項目２１）
前記内燃機関が、アルミニウム合金、アルミニウム複合材または鋼（すなわち、鉄含有）表面を有するシリンダボア、シリンダブロックまたはピストンリングを有する、前記項目１９または２０のいずれかに記載の方法。
（項目２２）
動力伝達系装置を潤滑する方法であって、前記項目１〜１８のいずれかに記載の潤滑組成物を該動力伝達系装置に供給する工程を含む方法。
（項目２３）
前記動力伝達系装置が、同期システムを含有していてもよいし、していなくてもよい手動変速機；または自動変速機；または車軸を含む、項目２２に記載の方法。
（項目２４）
潤滑粘度の油と生成物とを含む潤滑組成物の使用であって、該生成物が、（ｉ）ヒドロキシ含有カルボン酸化合物と、（チオ）リン酸化剤またはその反応性等価物と、場合によりアルコール（典型的には一価アルコール）とを反応させる工程、および場合により（ｉｉ）（ｉ）の生成物をアミンまたはその混合物と反応させる工程によって得られた／得ることが可能であり、得られた生成物が摩耗防止剤である、潤滑組成物の使用。